(57)【要約】【課題】映像表示システムにおいて、専用リモコンを用いる事なくワイヤレスキーボードおよびマウスを用いてパソコンから映像表示装置の制御を可能とする。【解決手段】映像表示手段と、主映像出力制御手段と、主操作手段とを含み、前記映像表示手段は、オンスクリーンディスプレイを利用した操作調整手段を備え、前記主映像出力制御手段は、映像表示手段へ映像出力を供給すると共に、映像表示手段が備える操作調整手段を利用して映像表示手段を操作調整するための操作調整制御プログラムを備えて形成され、前記映像表示手段は、前記操作調整制御プログラムに基づき前記主操作手段により操作調整されることを特徴とする映像表示システムにより達成される。【選択図】        図２
2004295036.tif 000002
【特許請求の範囲】
【請求項１】
映像表示手段と、主映像出力制御手段と、主操作手段とを含み、
前記映像表示手段は、オンスクリーンディスプレイを利用した操作調整手段を備え、
前記主映像出力制御手段は、映像表示手段へ映像出力を供給すると共に、映像表示手段が備える操作調整手段を利用して映像表示手段を操作調整するための操作調整制御プログラムを備えて形成され、
前記映像表示手段は、前記操作調整制御プログラムに基づき前記主操作手段を操作することにより操作調整されることを特徴とする映像表示システム。
【請求項２】
前記主映像出力制御手段が備える操作調整制御プログラムは、ユーザインタフェースとして、前記映像表示手段が備えるオンスクリーンディスプレイを用いる事を特徴とする請求項１に記載の映像表示システム。
【請求項３】
前記主映像出力制御手段は、ワイヤレス信号受信手段を含み、前記主操作手段は、ワイヤレス信号送信手段を含むキーボードおよびマウスであることを特徴とする請求項１または２に記載の映像表示システム。
【請求項４】
前記主操作手段は、前記映像表示手段を操作調整するための映像表示手段制御モードを備える事を特徴とする請求項１乃至３のいずれか１項に記載の映像表示システム。
【請求項５】
前記主操作手段は、該主操作手段を前記映像表示手段制御モードに設定するための設定キーを備える事を特徴とする請求項１乃至４のいずれか１項に記載の映像表示システム。
【請求項６】
前記主操作手段は、前記映像表示手段制御モードにおいて該主操作手段の備える汎用キーに前記映像表示手段を操作調整するための操作調整機能を割り付ける事を特徴とする請求項１乃至５のいずれか１項に記載の映像表示システム。
【請求項７】
前記主操作手段は、前記映像表示手段制御モードにおいて前記映像表示手段を操作調整するための専用キーを備える事を特徴とする請求項１乃至５のいずれか１項に記載の映像表示システム。
【請求項８】
前記主操作手段は、前記映像表示手段制御モードに設定された事を示す設定表示手段を備える事を特徴とする請求項１乃至７のいずれか１項に記載の映像表示システム。
【請求項９】
前記映像表示手段制御モードは、所定時間操作されない場合には自動的に解除される事を特徴とする請求項１乃至８のいずれか１項に記載の映像表示システム。
【請求項１０】
前記映像表示手段制御モードを自動的に解除するための時間を設定するための手段を備える事を特徴とする請求項１乃至９のいずれか１項に記載の映像表示システム。
【請求項１１】
映像表示手段と、主操作手段と、映像表示手段へ映像出力を供給すると共に、前記主操作手段からの操作信号に基づき前記映像表示手段を操作調整制御するための操作調整制御プログラムを備える主映像出力制御手段と、を備える映像表示システムにおいて、
前記主操作手段を前記映像表示手段の制御モードに設定する実行ステップと、前記制御モードにおいて主操作手段で操作される内容に対応したオンスクリーンディスプレイを映像表示手段に表示する実行ステップと、
前記操作内容に対応して前記映像表示手段の操作調整を行う実行ステップと、を含むことを特徴とする映像表示システムにおける映像表示手段を操作調整するための制御方法。
【発明の詳細な説明】
【０００１】
【発明の属する技術分野】
本発明は、例えばパーソナルコンピュータにより映像信号を供給して映像を表示する映像表示システム、およびその制御方法に関するものであり、特に大画面表示が可能な映像表示システムに適用して好適なものである。
【０００２】
【従来の技術】
近年、パーソナルコンピュータを主体とした映像表示システムを用いて、プレゼンテーションを行う機会が増加してきている。この様なシステムとしては、映像表示手段として大画面を有するリアプロジェクションディスプレイにパーソナルコンピュータの映像出力を接続しスクリーン上に拡大投射するものがある。なお、映像表示手段として、フロントプロジェクターやＰＤＰなどを用いる場合もある。
【０００３】
図１４は、従来の映像表示システムを示しており、４０はパーソナルコンピュータ（以後パソコン）で、４２はパソコン本体、４４はオペレータ用小型モニタ、４６と４８はそれぞれパソコン４０を操作するキーボードとマウス、１０は大画面表示可能な映像表示装置、２０は映像表示装置１０を制御するリモコンである。
【０００４】
前記映像表示システムでは、オペレータ用小型モニタ４４上に表示される画像と同一画像を映像表示装置１０に表示し、表示される画像上の操作は、パソコン４０に接続されたキーボード４６あるいはマウス４８で行う。ところで、この様なシステムの場合、パソコン４０の操作を行うためには、パソコン４０がプレゼンターの近くに配置されなければない。それが出来ない場合、プレゼンターとは別にオペレータを設ける事も考えられるが、どちらの場合においてもプレゼンテーション・システムとして使い勝手が悪いという問題があった。
【０００５】
この問題を解決するために、例えば、本来ならば映像表示装置１０の遠隔操作手段であるリモコン２０にパソコン４０の主操作手段であるキーボード４６およびマウス４８の機能を割り付けることによって、映像表示装置１０を経由してパソコン４０の操作を可能とする技術が開示されている（例えば、特許文献１参照。）。
【０００６】
図１５は、上記従来映像表示システムの機能ブロックを示す。
【０００７】
図１５において、リモコン２０の操作信号はワイヤレス送信部３６を介して映像表示装置１０へ向けて送信される。
【０００８】
映像表示装置１０は、映像表示装置としての基本的な動作を行う主表示機構６４と、ＣＰＵやメモリ等を用いて構成され主表示機構６４の操作調整等を受け持つ演算制御部６２と、ワイヤレス受信部１４で受信したリモコン信号を処理し、電気信号に変換して演算制御部６２へ出力する信号処理部６０と、外部機器との接続を行うＩ／Ｏインターフェース６６とを含んで構成される。そして演算制御部６２は、ワイヤレス受信部１４を用いて受信したリモコン２０からの操作信号を、Ｉ／Ｏインターフェース６６、シリアル通信ライン５０を介してパソコン４０へ向け転送する。なお、映像信号の接続に関しては特に図示しない。
【０００９】
パソコン４０の本体４２は、ＣＰＵ等を用いて構成された主演算制御回路７０と、ＲＡＭ、ＲＯＭ等を用いて構成され必要なデータが記憶されたメモリ７６と、外部との接続をおこなうＩ／Ｏインターフェース７２、７４とを含んで構成される。そして主演算制御回路７０は、映像表示装置１０を介して転送されてくるリモコン２０の各操作信号を、キーボード４６およびマウス４８の操作信号と同様に取り扱い、各種の演算制御動作をおこなう。
【００１０】
以上の処理によって、リモコン２０を用いてパソコン４０の操作を可能としている。
【００１１】
また、前記特許文献１では、パソコン４０に映像表示装置１０を制御するアプリケーションプログラムを用意することによって、通信ライン５０、Ｉ／Ｏインターフェース６６を介してパソコン４０から入力される各種制御信号等に基づき、映像表示装置１０を構成する主表示機構６４およびその他の箇所を制御する技術が開示されている。
【００１２】
ところで近年においては、パソコン４０の主操作装置であるキーボード４６やマウス４８として、赤外線や電波を通信手段として用いるワイヤレスキーボードやワイヤレスマウスが製品化されている。前記ワイヤレスキーボードあるいはワイヤレスマウスは、パソコン４０の遠隔操作が可能であるためパソコン４０をプレゼンター近くに配置する必要がない。また、これらワイヤレスキーボードおよびワイヤレスマウスは、通常のパソコン操作手段と同じ環境を提供できる。従って、わざわざ映像表示装置１０の操作手段であるリモコン２０を使ってパソコン４０を操作することはない。
【００１３】
【特許文献１】
特開平８−３３４８３２号公報
【００１４】
【発明が解決しようとする課題】
従来とは逆に、ワイヤレスキーボードやワイヤレスマウスを用いてパソコン４０を遠隔操作しながらプレゼンテーションを行っている最中に映像表示装置１０の制御、例えば明るさ調整や音量調整など、を行いたいという場合がある。この様な場合、従来例ではパソコンの操作をしていたワイヤレスキーボードあるいはワイヤレスマウスから、映像表示装置１０を操作するためのリモコン２０に持ち替えて操作しなければならず、持ち替えが煩わしいばかりか、常にリモコン２０を手元に置いておく必要があった。
【００１５】
また、ワイヤレスキーボードあるいはワイヤレスマウスでパソコン４０を操作し、リモコン２０で映像表示装置１０を操作するため、パソコン４０と映像表示装置１０の両方にワイヤレス信号受信部を設けねばならず、映像表示システムとして機能ブロックの重複を生じていた。
【００１６】
また、特開平８−３３４８３２号公報に開示されているようにアプリケーションプログラムを用意して、ワイヤレスキーボードあるいはワイヤレスマウスを利用してパソコン４０から映像表示装置１０を制御する方法も考えられるが、アプリケーションプログラムが提供する制御画面が映像表示画面に表示されてしまうという不都合があった。
【００１７】
そこで、本発明は、専用のリモコンを用いる事なくワイヤレスキーボードおよびマウスを用いてパソコンから映像表示装置の制御を可能とした映像表示システム、およびその制御方法を提供する事を目的とするものである。
【００１８】
【課題を解決するための手段】
本発明は上記事情を鑑みてなされたものであり、その目的は、映像表示手段と、主映像出力制御手段と、主操作手段とを含み、
前記映像表示手段は、オンスクリーンディスプレイを利用した操作調整手段を備え、前記主映像出力制御手段は、映像表示手段へ映像出力を供給すると共に、映像表示手段が備える操作調整手段を利用して映像表示手段を操作調整するための操作調整制御プログラムを備えて形成され、
前記映像表示手段は、前記操作調整制御プログラムに基づき前記主操作手段により操作調整されることを特徴とする映像表示システムにより達成される。
【００１９】
また、その目的は、映像表示手段と、主操作手段と、映像表示手段へ映像出力を供給すると共に、前記主操作手段からの操作信号に基づき前記映像表示手段を操作調整するための操作調整制御プログラムを備える主映像出力制御手段と、を備える映像表示システムにおいて、
前記主操作手段を前記映像表示手段の制御モードに設定する実行ステップと、前記制御モードにおいて主操作手段で操作される内容に対応したオンスクリーンディスプレイを映像表示装置に表示する実行ステップと、
前記操作内容に対応して前記映像表示手段の操作調整を行う実行ステップと、を含むことを特徴とする映像表示システムにおける映像表示手段を操作調整するための制御方法により達成される。
【００２０】
以上、本発明を整理して要約すれば以下の構成に集約できる。
【００２１】
（１）映像表示手段と、主映像出力制御手段と、主操作手段とを含み、
前記映像表示手段は、オンスクリーンディスプレイを利用した操作調整手段を備え、
前記主映像出力制御手段は、映像表示手段へ映像出力を供給すると共に、映像表示手段が備える操作調整手段を利用して映像表示手段を操作調整するための操作調整制御プログラムを備えて形成され、
前記映像表示手段は、前記操作調整制御プログラムに基づき前記主操作手段を操作することにより操作調整されることを特徴とする映像表示システム。
【００２２】
（２）前記主映像出力制御手段が備える操作調整制御プログラムは、ユーザインタフェースとして、前記映像表示手段が備えるオンスクリーンディスプレイを用いる事を特徴とする前記（１）に記載の映像表示システム。
【００２３】
（３）前記主映像出力制御手段は、ワイヤレス信号受信手段を含み、前記主操作手段は、ワイヤレス信号送信手段を含むキーボードおよびマウスであることを特徴とする前記（１）または（２）に記載の映像表示システム。
【００２４】
（４）前記主操作手段は、前記映像表示手段を操作調整するための映像表示手段制御モードを備える事を特徴とする前記（１）乃至（３）のいずれか１項に記載の映像表示システム。
【００２５】
（５）前記主操作手段は、該主操作手段を前記映像表示手段制御モードに設定するための設定キーを備える事を特徴とする前記（１）乃至（４）のいずれか１項に記載の映像表示システム。
【００２６】
（６）前記主操作手段は、前記映像表示手段制御モードにおいて該主操作手段の備える汎用キーに前記映像表示手段を操作調整するための操作調整機能を割り付ける事を特徴とする前記（１）乃至（５）のいずれか１項に記載の映像表示システム。
【００２７】
（７）前記主操作手段は、前記映像表示手段制御モードにおいて前記映像表示手段を操作調整するための専用キーを備える事を特徴とする前記（１）乃至（５）のいずれか１項に記載の映像表示システム。
【００２８】
（８）前記主操作手段は、前記映像表示手段制御モードに設定された事を示す設定表示手段を備える事を特徴とする前記（１）乃至（７）のいずれか１項に記載の映像表示システム。
【００２９】
（９）前記映像表示手段制御モードは、所定時間操作されない場合には自動的に解除される事を特徴とする前記（１）乃至（８）のいずれか１項に記載の映像表示システム。
【００３０】
（１０）前記映像表示手段制御モードを自動的に解除するための時間を設定するための手段を備える事を特徴とする前記（１）乃至（９）のいずれか１項に記載の映像表示システム。
【００３１】
（１１）映像表示手段と、主操作手段と、映像表示手段へ映像出力を供給すると共に、前記主操作手段からの操作信号に基づき前記映像表示手段を操作調整制御するための操作調整制御プログラムを備える主映像出力制御手段と、を備える映像表示システムにおいて、
前記主操作手段を前記映像表示手段の制御モードに設定する実行ステップと、前記制御モードにおいて主操作手段で操作される内容に対応したオンスクリーンディスプレイを映像表示手段に表示する実行ステップと、
前記操作内容に対応して前記映像表示手段の操作調整を行う実行ステップと、を含むことを特徴とする映像表示システムにおける映像表示手段を操作調整するための制御方法。
【００３２】
【発明の実施の形態】
以下、図１及び図２を参照して、本発明の実施の形態について説明する。
【００３３】
本発明に係る映像表示システムは、図１に示すように、パソコン本体４２と、それぞれパソコン本体４２を操作するワイヤレスキーボード４７とワイヤレスマウス４９と、大画面表示可能な映像表示装置１０と、を備えており、パソコン本体４２で出力される画像を映像表示装置１０に表示し、オペレータは映像表示装置１０に表示される画像を見ながらワイヤレスキーボード４７とワイヤレスマウス４９とによってパソコン本体４２の遠隔操作が可能に構成されている。
【００３４】
このうち映像表示装置１０は、図２に示すように、映像表示装置としての基本的な動作を行う主表示機構６４と、表示画面に対してオンスクリーンディスプレイ（以後ＯＳＤ）表示を行うＯＳＤ表示機構６８と、ＣＰＵやメモリ等を用いて構成され主表示機構６４の操作調整、およびＯＳＤ表示機構６８の表示制御等を受け持つ演算制御部６２と、外部機器との接続を行うＩ／Ｏインターフェース６６とを含んで構成される。
【００３５】
そして、ワイヤレスキーボード４７およびワイヤレスマウス４９は、それぞれワイヤレス送信部３７、３９を含んで構成され、ワイヤレスキーボード４７およびワイヤレスマウス４９の操作信号は、それぞれのワイヤレス送信部３７と３９からパソコン本体４２のワイヤレス受信部７５へ向けて送信される。
【００３６】
また、パソコン本体４２は、ＣＰＵ等を用いて構成された主演算制御回路７０と、ＲＡＭ、ＲＯＭ等を用いて構成され必要なデータが記憶されたメモリ７６と、外部との接続を行うＩ／Ｏインターフェース７２と、ワイヤレス受信部７５、およびワイヤレス受信部７５で受信したワイヤレス操作信号を処理し、電気信号に変換して主演算制御回路７０へ出力する信号処理部７１とを含んで構成される。
【００３７】
以上の構成において、パソコン本体４２の主演算制御回路７０は、ワイヤレス受信部７５を介してワイヤレスキーボード４７あるいはワイヤレスマウス４９の操作信号を受け取り、各種の演算制御動作を行うことが出来る。
【００３８】
ここで、パソコン本体４２のメモリ７６には、映像表示装置１０の操作調整制御プログラムをインストールしてあり、この操作調整制御プログラムを起動することでワイヤレスキーボード４７およびワイヤレスマウス４９が映像表示装置制御モードに設定され、ワイヤレスキーボード４７におけるキー操作あるいはワイヤレスマウスの操作に対応して映像表示装置１０の制御信号を生成する。ここで、生成された映像表示装置１０の制御信号は、Ｉ／Ｏインタフェース７２、シリアル通信ライン５０を介して映像表示装置１０へ向け転送される。映像表示装置１０は、Ｉ／Ｏインタフェース６６を介して制御信号を受け取り演算制御部６２で主表示機構６４の操作調整を行う。この時、映像表示装置は、制御信号の内容に対応したオンスクリーンディスプレイ（以後ＯＳＤ）が表示されるようになっている。
【００３９】
なお、ここでは、パソコンと映像表示装置の間をシリアル通信ラインで接続するように構成しているが、このラインは有線でも無線でもどちらでも良い。また、映像信号の接続に関しては特に図示しない。
【００４０】
図３に映像表示装置の制御モードにおける基本的なフローチャートを示す。
【００４１】
始めにステップＳ１００で制御モードに設定するか否かを判定する。具体的には、ワイヤレスキーボードに制御モード設定手段を設け、この制御モード設定手段が操作されたか否かを判断する。ここで、制御モードに設定されない場合は、ステップＳ８００へ進み通常キーボードとして機能する。ステップＳ１００で制御モードに設定された場合、ステップＳ２００へ進み、パソコン４２にインストールされている映像表示装置操作調整制御プログラムを起動して実際の制御モードに入る。この時、ワイヤレスキーボードから映像表示装置操作調整制御プログラムの起動信号がパソコンへ送信され、起動信号を受信したパソコンが制御プログラムを起動する。ステップＳ３００では、映像表示装置の操作調整に係る操作が為されたか否かを判定し、為されない場合は、ステップＳ６００へ進む。ステップＳ３００で操作が為されたと判定された場合、ステップＳ４００で操作された内容に係るＯＳＤ表示を行うと共に、ステップＳ５００で操作の内容に係る映像表示装置の操作調整を行いステップＳ６００へ進む。この時、ワイヤレスキーボードあるいはマウス操作信号がパソコンに送信され、操作信号を受信したパソコンが操作内容に対応した映像表示装置の操作調整信号をシリアル通信ラインを介して映像表示装置に伝え、映像表示装置は受信した操作調整信号に対応した項目のＯＳＤ表示を行うと共に自身の操作調整を行う。ステップＳ６００では、制御モードを解除するか否かを判定し、解除されない場合は、ステップＳ３００へ戻り上記フローを繰り返す。制御モードを解除すると判定された場合、ステップＳ７００へ進み、映像表示装置操作調整制御プログラムを終了して通常のキーボードおよびマウス機能に戻り制御モードを終える。
【００４２】
次に本実施の形態の作用について説明する。
【００４３】
いま、ワイヤレスキーボードおよびワイヤレスマウスが映像表示装置の制御モードに設定されていない場合、ワイヤレスキーボードおよびワイヤレスマウスはパソコンの操作を行う通常のキーボードとして動作させることが出来る。一方、ワイヤレスキーボードおよびワイヤレスマウスが映像表示装置の制御モードに設定された場合、キーあるいはマウス操作により、映像表示装置のＯＳＤ表示を利用して映像表示装置の操作調整を行うことが可能となる。
【００４４】
次に本実施の形態の効果について説明する。
【００４５】
本実施の形態によれば、ワイヤレスキーボードおよびワイヤレスマウスを映像表示装置の操作調整手段として用いる事が出来るため、わざわざ映像表示装置を操作調整するためのリモコンに持ち替える必要が無い。また、ワイヤレスキーボードおよびワイヤレスマウスを使用した映像表示装置の操作調整におけるユーザインタフェースは、映像表示装置の備えるＯＳＤとしているため、例えば、映像表示装置がパソコン以外の映像入力を備えていてその映像を表示している際にも、パソコンを介して映像表示装置の操作調整を行うことが可能となる。
【００４６】
以下、実施例に沿って本発明を更に詳細に説明する。
【００４７】
（実施例１）
本実施例では、図１および図２に示すような映像表示システムを使用した。
【００４８】
本実施例においては、映像表示装置１０にリアプロジェクションディスプレイを用い、パソコンの映像出力信号を表示させるようにした。また、ワイヤレスキーボード４７の配列は、市販パソコンで標準的なＪＩＳ配列とし、これら標準キーとは別に、図４に示すようにリアプロジェクションディスプレイ１０の制御モード設定キー１０１を備えた。
【００４９】
また、リアプロジェクションディスプレイ１０の操作調整項目をワイヤレスキーボードの持つ汎用キーに割り付けて操作できるようにした。本実施例では、Ｍｅｎｕ、Ｓｏｕｒｃｅ、Ｍｕｔｅ、Ｆｒｅｅｚｅ、Ｖｏｌｕｍｅ＋、Ｖｏｌｕｍｅ−、Ｚｏｏｍ＋、Ｚｏｏｍ−、Ａｕｔｏ  Ｉｍａｇｅの各機能をそれぞれワイヤレスキーボードのファンクションキーＦ１からＦ９に、上下左右のカーソル機能をそれぞれ矢印キーにメニューのＳｅｌｅｃｔ機能をＥｎｔｅｒキーにそれぞれ割り付けた。また、カーソル機能をマウスの座標移動に、Ｓｅｌｅｃｔ機能をマウスの左クリックにそれぞれ割り付けた。
【００５０】
図６乃至図８に本実施例におけるキーボード操作のフローチャートを示す。初めにステップＳ１０１で制御モード設定キーが操作されたか否かを判定する。設定キーが操作されず、現在制御モードでなければ（Ｓ１０３）ステップＳ８００へ進み、通常のキーボードおよびマウスとして機能する。設定キーが操作された場合、ステップＳ１０２で現在の状態が制御モードであるか否かを判定する。制御モードでない場合、ステップＳ２００へ進みパソコンにインストールされている操作調整制御プログラムを起動することによって、キーボードおよびマウスの操作環境をディスプレイの制御モードに設定し、Ｆ１からＦ９に割り付けられた各機能の操作に移る。
【００５１】
ステップＳ３０１は、ディスプレイのメニュー操作を行うフローである。ステップＳ３０１でＭｅｎｕキー（Ｆ１）が操作されると、ステップＳ３５０で、現在メニュー操作中であるか否かを判定する。メニュー操作中でない場合、ステップＳ４０１へ進みディスプレイのＯＳＤでメニュー項目を表示し、ステップＤへ進む。メニュー操作中であった場合、表示していたＯＳＤ表示を解除すると共にメニュー操作を解除してステップＳ１０１へ戻る。図８に示すステップＤ以下のフローは、メニュー操作に係るものである。表示されている複数のメニュー項目からカーソル機能を割り付けた上下方向の矢印キーを操作することによってメニュー項目に移動（Ｓ５０３）する。希望するメニュー項目に移動したらＳｅｌｅｃｔ（Ｅｎｔｅｒ）キーを操作（Ｓ３１１）することで選択（Ｓ５０４）し、ＯＳＤ表示を見ながら実際の調整（Ｓ３１２、Ｓ４１４、Ｓ５０５）を行う。
【００５２】
ステップＳ３０２は、入力ソースの切り換え操作を行う。Ｓｏｕｒｃｅ（Ｆ２）キーが操作された場合、現在設定されている状態（Ｍｅｎｕ、Ｍｕｔｅ、Ｆｒｅｅｚｅ、Ｚｏｏｍ）を全て解除（Ｓ３５１）し、ステップＳ４０３で入力の切り換えを行うと共に切り換わったチャネルをＯＳＤで表示する。
【００５３】
ステップＳ３０３とＳ３０４は、それぞれミュートおよびフリーズ操作を行う。まず、それぞれ現在の状態を判定（Ｓ３５２、Ｓ３５３）し、ミュートあるいはフリーズではない場合、それぞれミュートあるいはフリーズとし、ＯＳＤにて状態を示す表示（Ｓ４０４、Ｓ４０６）を行う。ミュートあるいはフリーズであった場合、その状態を解除（Ｓ４０５、Ｓ４０７）する。
【００５４】
ステップＳ３０５とステップＳ３０６は、ボリューム操作を行う。それぞれ操作された場合には、ボリュームの調整バーをディスプレイに表示（Ｓ４０７、Ｓ４０８）すると共に、音量の増減を調整（Ｓ５０１、Ｓ５０２）する。
【００５５】
ステップＳ３０７とステップＳ３０８は、ズーム表示の操作を行う。それぞれ操作された場合には、表示の拡大あるいは縮小をすると共に、ＯＳＤで拡大率あるいは縮小率などの表示（Ｓ４０９、Ｓ４１０）を行う。
【００５６】
ステップＳ３０９は、表示画像の自動画質調整を行う。この操作がされた場合、表示画像の自動画質調整を行うと共に、ＯＳＤにより調整中であることをディスプレイに表示（Ｓ４１１）する。
【００５７】
また、本実施例では、一定時間が経過するとＯＳＤ表示を自動的に消去するルーティン（Ｓ４１２、Ｓ４１３）を設けた。なお、制御モードに設定された後、一連の操作を行いつつステップＳ１０１で再度設定キーが操作されるか否かを監視する。ステップＳ１０１で、設定キーが操作されて現在制御モードであると判断（Ｓ１０２）された場合、ステップＳ７００へ進み、パソコン上で操作調整制御プログラムを終了させる事によって、通常のキーボードおよびマウス状態に戻す事が出来る。
【００５８】
次に本実施例の作用について説明する。
【００５９】
いま、リアプロジェクションディスプレイ１０の制御モード設定キー１０１を操作することによりパソコン本体４２にインストールされている操作調整制御プログラムを起動し、ワイヤレスキーボード４７およびワイヤレスマウス４９をリアプロジェクションディスプレイ１０の制御手段として機能させることが出来る。
【００６０】
制御モードにおいて、例えば、図４において１０２ａで示すＭｅｎｕ機能を割り付けたＦ１キーを操作した場合、リアプロジェクションディスプレイには図９に示すようなＯＳＤ表示がなされる。この表示では、一番上の項目であるＣＯＮＴＲＡＳＴが選択されているが、カーソル機能を割り付けた上下方向の矢印キーを操作することにより選択項目を移動する事が出来る。目的の調整項目に移動したら、そこでＳｅｌｅｃｔ機能を割り付けたＥｎｔｅｒキーを操作することにより調整項目の選択を行い、実際の調整操作に移行する。実際の調整操作も上下あるいは左右の矢印キーで行うことが出来る。また、例えば、１０２ｂあるいは１０２ｃで示すＶｏｌｕｍｅ機能を割り付けたＦ７キーあるいはＦ８キーを操作した場合、図１０に示すＶｏｌｕｍｅバーのＯＳＤ表示がなされ、Ｆ７キーあるいはＦ８キーの操作に対応してＶｏｌｕｍｅバーの表示が伸縮して操作状況をオペレータに知らせる。
【００６１】
また、再度制御モード設定キー１０１を操作することによって制御モードを解除し通常のキーボードおよびマウスとしての機能に復帰する事が出来る。
【００６２】
次に、本実施例の効果について説明する。
【００６３】
本実施例によれば、ワイヤレスキーボード４７およびワイヤレスマウス４９をリアプロジェクションディスプレイ１０の操作調整に使用することが出来るので、専用リモコンに持ち替えて操作する必要が無い。また、オペレータに対するユーザインタフェースとして、リアプロジェクションディスプレイ１０の備えるＯＳＤを利用しているので、リアプロジェクションディスプレイ１０に対して入力される全ての映像ソースに対して同機能を提供する事が可能である。つまり、ビデオ入力による表示の場合であっても、ワイヤレスキーボード４７およびワイヤレスマウス４９からＯＳＤ表示を使ってディスプレイの操作調整を行うことが出来る。
【００６４】
（実施例２）
本実施例においては、ワイヤレスキーボード４７の汎用キーとは別に、図５に示すようにリアプロジェクションディスプレイ１０の操作調整項目に対して専用キー１０３を備えた。本実施例における専用キーは、それぞれＭｅｎｕ、Ｓｏｕｒｃｅ、Ｍｕｔｅ、Ｆｒｅｅｚｅ、Ｖｏｌｕｍｅ＋、Ｖｏｌｕｍｅ−、Ｚｏｏｍ＋、Ｚｏｏｍ−、Ａｕｔｏ  Ｉｍａｇｅである。その他の構成は、実施例１と同様にした。
【００６５】
本実施例によれば、実施例１と同様の効果を得ることができる。ただし、操作キーを専用キーとしたことで、どのキーを操作すれば良いかを直感的に理解しやすくしている。
【００６６】
（実施例３）
本実施例においては、ワイヤレスキーボード４７に設けたリアプロジェクションディスプレイ１０の制御モード設定キー１０１に対して図１１に示す様な照明回路を組み込んだ。その他の構成は、実施例１あるいは実施例２と同様とした。
【００６７】
図１１において、２００はワイヤレスキーボードを制御するマイコン、２０１は設定キー１０１を照明するためのＬＥＤ、２０２はＬＥＤ駆動用トランジスタ、２０３はワイヤレスキーボードのバッテリーである。
【００６８】
マイコン２００は、制御モード設定キー１０１が操作されると、トランジスタ２０２に対してオン信号を与えてＬＥＤ２０１を点灯制御し、キーボードが制御モードに設定されている事を表示する。また、再度制御モード設定キー１０１が操作されると、トランジスタ２０２に対してオフ信号を与えてＬＥＤ２０１を消灯制御し、キーボードが通常モードに設定されている事を表示する。
【００６９】
本実施例によれば、制御モード設定キー１０１を操作して制御モードになっている状態においてモード設定キーが点灯し、制御モードが解除されている状態においては消灯することによって、現在ワイヤレスキーボードがどの状態にあるかを視覚的に判別出来るようにしている。
【００７０】
（実施例４）
本実施例においては、制御モードにおける操作調整キーの操作状況を監視し、制御モードに設定された後、一定期間操作がなされなかった場合、自動的に制御モードを解除するルーティンを組み込んだ。その他の構成は実施例１乃至３と同様とした。
【００７１】
図１２に本実施例における操作状況の監視処理のフローチャートを示す。
【００７２】
ステップＳ２００でディスプレイの制御モードに設定されると、次にステップＳ９０１で、ワイヤレスキーボードあるいはマウスがなんらかの操作入力を行った後の無操作時間を累算するためのタイマーをスタートさせる。次にステップＳ９０２へ進み、ディスプレイの操作調整のための操作が為されたか否かを判定する。ここで操作があった場合、ステップＳ９０３へ進みタイマーをリセットしてステップＳ９０１へ戻り再度時間計測を開始する。ステップＳ９０２で操作が為されていないと判定された場合、ステップＳ９０４へ進み、設定時間が経過したか否かを判定する。ここで設定時間が経過していない場合、ステップＳ９０２へ戻り、操作有無の監視を続行する。ステップＳ９０４で設定時間が経過したと判断された場合、ステップＳ９０５へ進み、制御モードを解除して通常のキーボードおよびマウス機能に戻る。
【００７３】
ここで、制御モードを解除するまでの時間は、ユーザによって予め設定可能とした。例えば、図１３に示すモード管理のプロパティウインドウを開き、制御モード解除の設定で時間設定を出来るようにした。この設定は、ユーザが好みの時間に設定したい場合に行えばよく、プレゼンテーション等の最中に表示されて邪魔になる事はない。
【００７４】
本実施例によれば、制御モードにしたことを忘れていたとしても、一定時間後には制御モードが解除されるのでストレス無く通常のキーボードおよびマウス操作を行うことが出来る。また、制御モードが解除されるまでの時間を自由に設定可能であるので、ユーザの操作感覚に合った運用が可能となる。
【００７５】
【発明の効果】
以上説明したように、本発明によると、ワイヤレスキーボードおよびワイヤレスマウスをあたかも映像表示装置のリモコンとして使用可能となり、従って、専用リモコンに持ち替えるという煩わしさを解消できる。また、映像表示装置に表示されるＯＳＤを用いて操作調整を可能としているので、映像表示装置がパソコン以外の映像入力を備えていて、その映像を表示している場合でも問題なく映像表示装置の操作調整を行うことが可能である。
【図面の簡単な説明】
【図１】本発明に係る映像表示システムの一例を示す概略構成図
【図２】本発明に係る映像表示システムの一例を示す機能ブロック図
【図３】本発明に係る映像表示システムの制御方法に係るフローを示すフローチャート
【図４】本発明の第１の実施例に係るワイヤレスキーボードを示す平面図
【図５】本発明の第２の実施例に係るワイヤレスキーボードを示す平面図
【図６】本発明の第１の実施例に係る制御モード時におけるキーボード操作を示すフローチャート
【図７】本発明の第１の実施例に係る制御モード時におけるキーボード操作を示すフローチャート
【図８】本発明の第１の実施例に係る制御モード時におけるキーボード操作を示すフローチャート
【図９】本発明の実施例におけるＯＳＤ表示の１例を示す図
【図１０】本発明の実施例におけるＯＳＤ表示の他の１例示す図
【図１１】本発明の第３の実施例に係るモード設定キー照明回路の説明図
【図１２】本発明の第４の実施例における制御モード自動解除の手順を示すフローチャート
【図１３】本発明の第４の実施例における制御モード自動解除設定画面の説明図
【図１４】従来の映像表示システムの一例を示す概略構成図
【図１５】従来の映像表示システムの一例を示す機能ブロック図
【符号の説明】
１０  映像表示装置（リアプロジェクションディスプレイ）
１４、７５  ワイヤレス受信部
２０  リモコン
３６、３７、３９  ワイヤレス送信部
４０  パソコン
４２  パソコン本体
４４  小型モニタ
４６  キーボード
４７  ワイヤレスキーボード
４８  マウス
４９  ワイヤレスマウス
５０  シリアル通信ライン
【図１】
2004295036.tif 000003
【図２】
2004295036.tif 000004
【図３】
2004295036.tif 000005
【図４】
2004295036.tif 000006
【図５】
2004295036.tif 000007
【図６】
2004295036.tif 000008
【図７】
2004295036.tif 000009
【図８】
2004295036.tif 000010
【図９】
2004295036.tif 000011
【図１０】
2004295036.tif 000012
【図１１】
2004295036.tif 000013
【図１２】
2004295036.tif 000014
【図１３】
2004295036.tif 000015
【図１４】
2004295036.tif 000016
【図１５】
2004295036.tif 000017